(57)【要約】【課題】ヒートブリッジやクールブリッジ等の熱橋による断熱効果の低減防止、火災による外壁の脱落防止および断熱材の退化による外壁の脱落の防止を図った外断熱壁構造を提供する。【解決手段】中間の断熱材と、その一方側に位置する内壁と、その他方側に位置する外壁とが、断熱材を貫通し一端側が内壁内に位置し、他端側が外壁内に位置する支持部材で一体に支持されてなる外断熱壁構造であって、前記断熱材の外壁側に面する側面には、互いに係合して外壁および断熱材を互いに係止する凹部、突部、凹溝、突条、これらの組合せ、の内のいずれかが設けられ、外壁内には断熱材に沿ってワイヤメッシュが配設され、前記支持部材の内壁内には、断熱材に当接するジョイナーが螺合され、かつ端部にナット体が螺合されており、支持部材の内壁内には、断熱材に当接するジョイナーが螺合され、かつ断熱材に沿って配設されたワイヤメッシュを押えるパッキン部材が設けられている。【選択図】          図１
2004232317.tif 000002
【特許請求の範囲】
【請求項１】
中間の断熱材と、その一方側に位置する内壁と、その他方側に位置する外壁とが、断熱材を貫通し一端側が内壁内に位置し、他端側が外壁内に位置する支持部材で一体に支持されてなる外断熱壁構造であって、
前記断熱材の外壁側に面する側面には、互いに係合して外壁および断熱材を互いに係止する凹部、突部、凹溝、突条、これらの組合せ、の内のいずれかが設けられ、外壁内には断熱材に沿ってワイヤメッシュが配設され、
前記支持部材の内壁内には、断熱材に当接するジョイナーが螺合され、かつ端部にナット体が螺合されており、支持部材の内壁内には、断熱材に当接するジョイナーが螺合され、かつ断熱材に沿って配設されたワイヤメッシュを押えるパッキン部材が設けられていることを特徴とする外断熱壁構造。
【請求項２】
前記パッキン部材には、押え金具が添設されていることを特徴とする請求項１記載の外断熱壁構造。
【請求項３】
外壁となる側の面に凹部、突部、凹溝、突条、これらの組合せ、の内のいずれかが設けられた断熱材を中間に配置し、その一方側に内壁となる空間を形成する内壁用型枠を、その他端側に外壁となる空間を形成する外壁用型枠を配設し、外壁となる空間にはワイヤメッシュを断熱材に沿って配設し、
内壁となる空間から外壁となる空間に断熱材を貫通して螺棒で形成された支持部材を設け、この支持部材の内壁となる空間側には、ジョイナーを螺合して断熱材に当接し、端部にナット体を螺合し、前記内壁用型枠の内面にコーンを配置し、前記ナット体に一端を螺合したセパレータの他端を該コーンに螺入し内壁用型枠を支持するとともに内壁用型枠の外側において固定手段を連結し内壁用型枠を固定し、
前記支持部材の外壁となる空間側には、ジョイナーを螺合して断熱材に当接し、また、前記断熱材に沿って配設されたワイヤメッシュを押えるパッキン部材を設け、前記外壁用型枠の内面にはコーンを配置し、前記支持部材は該コーンに螺入し外壁用型枠を支持すると共に外壁用型枠の外側において固定手段を連結し外壁用型枠を固定し，
その後、内壁となる空間および外壁となる空間にコンクリートを打設し、中間の断熱材の一方側に内壁を、他方側に外壁を形成し、打設したコンクリートが固化した後、固定手段を解除し、型枠を取り除くことを特徴とする外断熱壁の形成方法。
【請求項４】
前記パッキン部材には押え金具を添設することを特徴とする請求項３の外断熱壁の形成方法。
【発明の詳細な説明】
【０００１】
【発明の属する技術分野】
この発明は、外断熱壁構造およびその形成方法に関し、詳しくは中間の断熱材の両側に内壁と外壁が設けられた多層の外断熱壁構造およびその外断熱壁の形成方法に関する。
【０００２】
【従来の技術】
従来、外断熱壁構造としては、例えば、（１）断熱材の外側に、メタルラス等を貼り、これにモルタルを塗り仕上げる、（２）内壁に固定した金物支持材で、断熱材の外側に乾式材の外壁を形成する、（３）断熱材とスレート等の複合板を、内壁のコンクリート打設時に、外壁側に打ち込む、等の工法がある。
【０００３】
しかし、前記（１）においてはメタルラス及びモルタルの断熱材との付着強度が小さく、剥落のおそれがあり、（２）においては工事期間が長くなり、工事費用も高くなること、（３）においては複合板の外側の材料が劣化しやすいし、複合板の断熱材の厚さに限界があること、等の課題がある。また、いずれもコンクリート壁（内壁）の耐用年数に比べて外装材の耐用年数が著しく短いという課題がある。
【０００４】
そこで、このような課題を解決するものとして特開２００２−３３９４７０号公報に示す外断熱壁構造が提案された。この外断熱壁構造は、内壁と中間の断熱材と外壁体が、これらの三者に貫通状の金属製支持部材で一体化されたものであり、金属製支持部材の内壁内に位置する部分に抜止部が設けられ、金属製支持部材の外壁内に位置する部分には合成樹脂製接続部材が設けられ、これにより内壁および外壁との抜け止めが強固になっている。
【０００５】
【発明が解決しようとする課題】
しかしながら、この外断熱壁構造では外壁体の亀裂を防止する手段が施されていないため、外壁体は繰り返しに到来する湿気や乾燥に曝されることによって膨張、収縮がおこり、亀裂、隙間の発生、ひいてはヒート・ブリッジ現象による断熱抵抗の減少が生ずる課題がある。
また、亀裂、隙間の発生がおこると外壁体の剥がれ落ちの原因になり、従来の前記外断熱壁構造では、外壁体は金属製支持部材と合成樹脂製接続部材に支持されているだけであり、外壁体の支持箇所が少なく外壁体が剥がれ落ちるおそれがある。これを防止するため金属製支持部材や合成樹脂製接続部材の数を増加し、それらの間隔を小さくすることが考えられるが、これらの部材は型枠支持装置の部材であるので、本数を増加させることは施工の手数が増加するし、コストアップになるので自ずと制限がある。
【０００６】
この発明は、このような課題に鑑み提案されたものであり、その目的は、ヒートブリッジやクールブリッジ等の熱橋による断熱効果の低減防止、火災による外壁の脱落防止および断熱材の退化による外壁の脱落の防止が図られ、しかも型枠支持装置の部材を外壁の支持として使用するので、工期も短縮でき、コストダウンも可能な外断熱壁構造およびその外断熱壁の形成方法を提供することにある。
【０００７】
【課題を解決するための手段】
前記課題を解決するため、この発明の外断熱壁構造は、中間の断熱材と、その一方側に位置する内壁と、その他方側に位置する外壁とが、断熱材を貫通し一端側が内壁内に位置し、他端側が外壁内に位置する支持部材で一体に支持されてなる外断熱壁構造であって、
前記断熱材の外壁側に面する側面には、互いに係合して外壁および断熱材を互いに係止する凹部、突部、凹溝、突条、これらの組合せ、の内のいずれかが設けられ、外壁内には断熱材に沿ってワイヤメッシュが配設され、
前記支持部材の内壁内には、断熱材に当接するジョイナーが螺合され、かつ端部にナット体が螺合されており、支持部材の内壁内には、断熱材に当接するジョイナーが螺合され、かつ断熱材に沿って配設されたワイヤメッシュを押えるパッキン部材が設けられている。
【０００８】
この外断熱壁構造により外壁のコンクリートはワイヤメッシュに付着し、ワイヤメッシュは支持部材に係止されているので、外壁はワイヤメッシュおよび支持部材で支持される。また、断熱材と外壁コンクリートとの付着強度は、ワイヤメッシュを、内壁に固定した支持部材で係止して強度が図られる。さらに、断熱材の外壁側に面する側面には凹部、突部、凹溝、突条、これらの組合せ、の内のいずれかが設けられているので、この部分で外壁と断熱材とが互いに係止されるので、外壁の支持強度が向上する。これにより火災時や断熱材が退化（劣化）しても外壁が落下することがない。さらに、支持部材は内壁および外壁内に埋設されているのでヒートブリッジやクールブリッジ等の熱橋となることもない。
【０００９】
また、この発明の外断熱壁構造は、前記パッキン部材には、押え金具が添設されている。これによりワイヤメッシュの支持および固定が強固となる。また、パッキン部材によりワイヤメッシュのカブリ厚が確保できると共に、支持部材の係止部の断熱材への当接面積を拡大することができ、断熱材を破壊することなく支持部材の支持力を断熱材に確実に伝達することができる。
【００１０】
また、この発明の外断熱壁の形成方法は外壁となる側の面に凹部、突部、凹溝、突条、これらの組合せ、の内のいずれかが設けられた断熱材を中間に配置し、その一方側に内壁となる空間を形成する内壁用型枠を、その他端側に外壁となる空間を形成する外壁用型枠を配設し、外壁となる空間にはワイヤメッシュを断熱材に沿って配設し、
内壁となる空間から外壁となる空間に断熱材を貫通して螺棒で形成された支持部材を設け、この支持部材の内壁となる空間側には、ジョイナーを螺合して断熱材に当接し、端部にナット体を螺合し、前記内壁用型枠の内面にコーンを配置し、前記ナット体に一端を螺合したセパレータの他端を該コーンに螺入し内壁用型枠を支持するとともに内壁用型枠の外側において固定手段を連結し内壁用型枠を固定し、
前記支持部材の外壁となる空間側には、ジョイナーを螺合して断熱材に当接し、また、前記断熱材に沿って配設されたワイヤメッシュを押えるパッキン部材を設け、前記外壁用型枠の内面にはコーンを配置し、前記支持部材は該コーンに螺入し外壁用型枠を支持すると共に外壁用型枠の外側において固定手段を連結し外壁用型枠を固定し，
その後、内壁となる空間および外壁となる空間にコンクリートを打設し、中間の断熱材の一方側に内壁を、他方側に外壁を形成し、打設したコンクリートが固化した後、固定手段を解除し、型枠を取り除くことを特徴とする。
【００１１】
これにより前記したような外断熱壁構造の外断熱壁を容易に形成できる。この時、この発明では型枠支持装置の部材を支持部材とし残して使用するので経済的負担も少なく、施工も容易となる。また、パッキン部材に押え金具が添設されていると、外壁の支持力を一層向上することができる。
【００１２】
【発明の実施の形態】
以下、この発明を図面に示す実施の形態において詳細に説明する。図１はこの発明の実施の形態を示す外断熱壁構造の断面図である。
同図に示す外断熱壁構造は、中間の断熱材１と、その一方側に位置する内壁２と、その他方側に位置する外壁３とが、断熱材１を貫通し一端側が内壁２内に位置し、他端側が外壁３内に位置する支持部材６で一体に支持されている。
【００１３】
中間の断熱材１は、従来公知のものを採用できるが、少なくとも外壁３側に面する側面には、凹部、突部、凹溝、突条およびこれらの組合せのいずれかが設けられる。本例では凹溝１ａが水平方向に設けられている。この凹溝１ａや他の凹部、突部、凹溝、突条およびこれらの組合せは、互いに係合して断熱材１と外壁３のコンクリートとの付着力および支持力を増強させるものであり、その設ける数や形状は適宜選択して設ける。内壁２は、鉄筋４が配設された鉄筋コンクリートとなっており、外壁３は、ワイヤメッシュ５が配設されたコンクリートで形成されている。ワイヤメッシュ５は、外壁３に亀裂が生ずるのを防止するものであるが、外壁３のコンクリートとの付着力および外壁３のコンクリートと断熱材１との付着力をも向上させるものであり、断熱材１の外壁３側に面した側面に沿って所定のカブリ厚をもつよにして設けられる。このカブリ厚は、後述するようにパッキン部材１０で形成される。
【００１４】
支持部材６は断熱材１を貫通して設けられ、本例では螺棒で構成されている。内壁２内に位置する支持部材６には、断熱材１に当接してジョイナー８が螺合され、外壁３内に位置する支持部材６には、断熱材１に当接してジョイナー９が螺合され、このジョイナー８、９で断熱材１の位置が固定されている。また、内壁２内に位置する支持部材６の先端には、ナット体７が螺合されている。このナット体７は支持部材６より大径であるので、支持部材６との間に段部が生じ、これにより支持部材６の抜け止めとなる。
【００１５】
また、外壁３内に位置する支持部材６には、断熱材１に沿って配設されたワイヤメッシュ５を押えるパッキン部材１０が設けられている。このパッキン部材１０は、ワイヤメッシュ５のカブリ厚を確保するものであるが、この他にも外壁３と断熱材１との付着力を確保したり、熱橋を防止する。このパッキン部材１０には、押え金具（図示せず）を添設してもよい。押え金具があるとワイヤメッシュ５の固定が強固になるし、外壁３と断熱材１との付着力も強固になるので好ましい。パッキン部材１０は、ゴムや樹脂で形成するが、金属の場合もある。押え金具を添設する場合は、パッキン部材１０と押え金具を別体で形成し添設してもよいし、両者を一体に形成してもよい。
【００１６】
しかして、図１に示す実施の形態の外断熱壁構造によれば、外壁３のコンクリートはワイヤメッシュ５に強固に付着し、ワイヤメッシュ５は一端側が内壁２に固定された支持部材６で係止され、外壁３のコンクリートは断熱材１の凹溝１ａに流れ込んで固化しており、さらに断熱材１は支持部材６で支持される。これにより断熱材１と外壁３との付着強度は、一端側が内壁２に固定された支持部材６、この支持部材６で係止したワイヤメッシュ５および断熱材１の凹溝１ａで強化される。従って、外壁３が断熱材１から剥がれ脱落することがない。また、火災時および劣化によって断熱材１の支持力が低下しても、外壁３はワイヤメッシュ５や支持部材６で支持されるため脱落することもない。さらに、支持部材６は、中間の断熱材１を貫通し、一端側が内壁２内に、他端側が外壁３内に埋まっているので、熱橋となることもない。しかも、支持部材６の内壁２内に位置する端部には、ナット体７が設けられており、このナット体７は支持部材６より大径であり、支持部材６との間に段部が生ずるので支持部材６の抜け止めが図られ、支持部材６の支持が確実に確保される。
【００１７】
図２はこの発明の実施の形態に係る外断熱壁の形成方法を説明する断面図、図３は図２における支持部材部分の拡大図、図４は図２の次の工程を示す拡大図であり、図１に示す実施の形態と同一構成要素には同一符号を付して説明する。
【００１８】
まず、中間に断熱材１を配置し、その一方側に内壁２となる空間２ａを形成する内壁用型枠２２を、その他方側に外壁３となる空間３ａを形成する外壁用型枠２３を設ける。内壁２となる空間２ａには鉄筋４を配設し、外壁３となる空間３ａにはワイヤメッシュ５を配設する。このワイヤメッシュ５は、断熱材１の外壁３となる空間３ａ側の側面に沿って配設される。断熱材１は、外壁３となる側の面に凹部、突部、凹溝、突条、これらの組合せ、の内のいずれかが設けられたもので、本例では凹溝１ａを水平方向に設けたものを示している。
【００１９】
次に、螺棒で構成される支持部材６を断熱材１を貫通し一端側が内壁２となる空間２ａ内に位置し、他端側が外壁３となる空間３ａ内に位置して設ける。内壁２となる空間２ａ内に位置する支持部材６には、断熱材１に当接してジョイナー８を螺合し、外壁３となる空間３ａ内に位置する支持部材６には、断熱材１に当接してジョイナー９を螺合し、これにより断熱材１を固定する。
【００２０】
内壁２となる空間２ａ内に位置する支持部材６の端部にはナット体７を螺合し、このナット体７に一端側を螺合してセパレータ１１を設ける。内壁用型枠２２の内側にコーン１２を配置し、前記セパレータ１１の他端側を該コーン１２に螺入し内壁用型枠２２を支持すると共に内壁用型枠２２の外側において固定手段で固定する。この固定手段は、本例では内壁用型枠２２の外側においてセパレータ１１およびコーン１２にフォームタイ１３が連結され、このフォームタイ１３に押え部材１４をナット１５で締め付け、内側に配置された横バタ１６ａ、縦バタ１６ｂを固定する構成となっている。本例では前記ナット体７とコーン１２との間にはガイド管２４が配設され、セパレータ１１はこのガイド管２４に挿通して設けられている。
【００２１】
また、外壁用型枠２３の内側にはコーン１７を配置し、外壁３となる空間側の支持部材６の端部は該コーン１７に螺入し外壁用型枠２３を支持すると共に外壁用型枠２３の外側において固定手段を連結し、外壁用型枠２３を固定する。この固定手段は、本例では外壁用型枠２３の外側において支持部材６およびコーン１７にフォームタイ１８が連結され、このフォームタイ１８に押え部材１９をナット２０で締め付け、内側に配置された横バタ２１ａ、縦バタ２１ｂを固定する構成となっている。なお、コーン１７を配置する前に、支持部材６にはパッキン部材１０が設けられ、このパッキン部材１０がワイヤメッシュ５を押えるようになっている。このパッキン部材１０には押え金具（図示せず）を添設してもよい。
【００２２】
次に、内壁２となる空間２ａおよび外壁３となる空間３ａにコンクリートを打設し、このコンクリートが固化した後、フォームタイ１３、１６、押え部材１４、１９、ナット１５、２０および横バタ１６ａ、２１ａ、縦バタ１６ｂ、２１ｂ等で構成される固定手段を解除し、内壁用型枠２２および外壁用型枠２３を取り除き、さらにコーン１２および１７を取り除く。図４はこの状態を示す断面図である。これにより中間の断熱材１の一方側に内壁２が、他方側に外壁３が形成される。図４において符号１２ａおよび１７ａは、コーン１２および１７を取り除いた凹みである。
【００２３】
また、図４の状態からセパレータ１１またはセパレータ１１とガイド管２４は取り除いてもよい。図１に示すように取り除いた時は、その取り除いて生ずる孔１１ａにウレタン等の断熱材を充填することが好ましい。これにより孔１１ａから断熱効果が低下するのを防止できる。
【００２４】
しかして、この外断熱壁の形成方法によれば、図１に示すような構造の外断熱壁を容易に形成することができる。しかも型枠支持装置として使用した支持部材６を、施工後は断熱材１および外壁３を支持する支持部材６として残して使用するので、施工が容易であるし、コストダウンすることができる。
【００２５】
なお、前記実施の形態は、この発明を制限するものではなく、この発明は要旨を逸脱しない範囲において種々の変更が可能である。
【００２６】
【発明の効果】
以上詳細に説明した通り、この発明の外断熱壁構造およびその外断熱壁の形成方法によれば、次のような効果を奏する。
（１）ヒートブリッジやクールブリッジ等の熱橋による断熱効果の低減がない。火災による外壁の脱落および断熱材の退化（劣化）による外壁の脱落がない。
（２）四季を通じて建物内表面や室温に温度のムラが少なく、しかも表面結露や内部結露が生じずらい。
（３）構造が強固であり、耐用年数が長い。
【００２７】
（４）ヒートブリッジやクールブリッジ等の熱橋による断熱効果の低減が少なく、火災による外壁の脱落および断熱材の退化による外壁の脱落もない外断熱壁を容易に形成することができる。
（５）型枠支持装置として使用した支持部材を、施工後は断熱材および外壁を支持する支持部材として残して使用するので、施工が容易であるし、工期も短縮でき、安価に施工することができる。
【図面の簡単な説明】
【図１】この発明の実施の形態を示す外断熱壁構造の断面図である。
【図２】この発明の実施の形態に係る外断熱壁の形成方法を説明する断面図である。
【図３】図２における支持部材部分の拡大図である。
【図４】図２の次の工程を示す断面図である。
【符号の説明】
１  断熱材
２  内壁
２ａ  内壁を形成する空間
３  外壁
３ａ  外壁を形成する空間
４  鉄筋
５  ワイヤメッシュ
６  支持部材
７  ナット体
８、９  ジョイナー
１０  パッキン部材
１１  セパレータ
１２、１７  コーン
１３、１６  フォームタイ
２２  内壁用型枠
２３  外壁用型枠
【図１】
2004232317.tif 000003
【図２】
2004232317.tif 000004
【図３】
2004232317.tif 000005
【図４】
2004232317.tif 000006